(57)【要約】      （修正有）【課題】組み立てのコストや煩雑さを抑制することのできる車両における灯組み立て体を提供する。【解決手段】灯機能５０を有する車両１０のウィンドウ１２、１４、１６、１８、２０、２２のプラスチックグレージングは、第１の車両ウィンドウグレージング部品と、第１の車両ウィンドウグレージング部品上にモールド成形された第２の車両ウィンドウグレージング部品と、灯機能用の灯光を生成するように構成された灯ユニットとを有する。灯ユニットは、第１の車両ウィンドウグレージング部品および第２の車両ウィンドウグレージング部品の少なくとも一つと一体化されており、第１の車両ウィンドウグレージング部品および第２の車両ウィンドウグレージング部品の少なくとも一つを通してまたはそこから灯機能用の灯光を誘導する。【選択図】図１
2020183228.tif 000002
【特許請求の範囲】
【請求項１】
灯機能を有する車両のウィンドウのプラスチックグレージングであって、プラスチックグレージングが：
第１の車両ウィンドウグレージング部品と；
前記第１の車両ウィンドウグレージング部品上にモールド成形された第２の車両ウィンドウグレージング部品と；
灯機能用の灯光を生成するように構成された灯ユニットとを含み、前記灯ユニットが、以下の：前記第１の車両ウィンドウグレージング部品および前記第２の車両ウィンドウグレージング部品の少なくとも一つと一体化されており；
さらに前記灯ユニットが、以下の：前記第１の車両ウィンドウグレージング部品および前記第２の車両ウィンドウグレージング部品の少なくとも一つを通してまたはそこから前記灯機能用の灯光を誘導するように構成されており、
前記プラスチックグレージングが、モールド成形された一体のプラスチック構造であり；
前記第１の車両ウィンドウグレージング部品および前記第２の車両ウィンドウグレージング部品の少なくとも一つが、透光性または透明である、プラスチックグレージング。
【請求項２】
前記灯ユニットが、以下の：前記第１の車両ウィンドウグレージング部品および前記第２の車両ウィンドウグレージング部品の少なくとも一つの上に支持されており、
前記ウィンドウが、以下の：フロントウィンドウ、サイドウィンドウ、リアクォーターウィンドウ、リアウィンドウ、フロントクウォーターウィンドウ、およびパノラマウィンドウの少なくとも一つを含む、請求項１に記載のプラスチックグレージング。
【請求項３】
前記プラスチックグレージングが、前記灯ユニットを支持するように構成されている筐体ユニットに取り付けられており、
前記筐体ユニットが、繊維強化ポリマーを含む、請求項１に記載のプラスチックグレージング。
【請求項４】
前記灯ユニットからの灯光を受容するように構成されている導光体をさらに含み、
前記導光体が、以下の：前記受容された灯光を、その長さに沿って射出して前記灯機能を提供すること、前記灯光をその端部に送達して車両の内部に前記灯機能を提供すること、および前記灯光をその端部に送達して前記車両から外部に前記灯機能を提供すること、の一つを行うように構成されている、請求項１〜３のいずれか一項に記載のプラスチックグレージング。
である
【請求項５】
前記導光体を保持するように構成された、モールド成形された部品を含み、
前記モールド成形された構成部品が、以下の：前記第１の車両ウィンドウグレージング部品および前記第２の車両ウィンドウグレージング部品の少なくとも一つの中にモールド成形されている、請求項４に記載のプラスチックグレージング。
【請求項６】
第１の位置における前記導光体から射出された灯光を遮断し、第２の位置における前記導光体から灯光を射出可能にするよう構成された光遮断機構をさらに含む、請求項４に記載のプラスチックグレージング
【請求項７】
前記第１の車両ウィンドウグレージング部品および前記第２の車両ウィンドウグレージング部品の一つまたは複数の部分がレンズを形成し、前記灯ユニットが、前記レンズを通して灯光を射出するとともに前記灯機能用の前記導光体を通して灯光を射出するように構成されている、請求項４に記載のプラスチックグレージング。
【請求項８】
前記第１の車両ウィンドウグレージング部品および前記第２の車両ウィンドウグレージング部品の少なくとも一つが、前記灯ユニットから受容された灯光を拡散、散乱、または反射させるように構成された表面を含み、
前記表面が、以下の：テクスチャ加工された表面およびレーザーマーキングされた表面の少なくとも一つを含む、請求項１〜７のいずれか一項に記載のプラスチックグレージング。
【請求項９】
前記灯ユニットが、発光ダイオード（ＬＥＤ）を含み、前記ＬＥＤが、以下の：前記第１の車両ウィンドウグレージング部品および前記第２の車両ウィンドウグレージング部品の少なくとも一つの中にモールド成形されている、請求項１〜８のいずれか一項に記載のプラスチックグレージング。
【請求項１０】
前記灯機能が、以下の：サイド識別灯、外灯、サイド標識灯、駐車モード灯、ルーフピラー灯、リアクォーターウィンドウ灯、ウェルカム灯、室内読書灯、特注可能な個別の灯、環境灯、荷室灯、パノラマルーフ灯、ブレーキ灯、転回信号灯、走行灯、後退灯、霧灯、および安全灯の少なくとも一つを含む、請求項１〜９のいずれか一項に記載のプラスチックグレージング。
【請求項１１】
前記灯機能を有する車両のウィンドウのプラスチックグレージングを製造する方法であって、
第１の車両ウィンドウグレージング部品をモールド成形することと；
前記第１の車両ウィンドウグレージング部品上にモールド成形された第２の車両ウィンドウグレージング部品をモールド成形することと；
前記灯機能用の灯光を生成するように構成された灯ユニットを、以下の：前記第１の車両ウィンドウグレージング部品および前記第２の車両ウィンドウグレージング部品の少なくとも一つと一体化させることと；
前記灯ユニットを、以下の：前記第１の車両ウィンドウグレージング部品および前記第２の車両ウィンドウグレージング部品の少なくとも一つを通してまたはそこから前記灯機能用の灯光を誘導するように配置させることとを含み、前記第１の車両ウィンドウグレージング部品および前記第２の車両ウィンドウグレージング部品の少なくとも一つが透光性または透明である、方法。
【請求項１２】
前記灯ユニットが、以下の：前記第１の車両ウィンドウグレージング部品および前記第２の車両ウィンドウグレージング部品の少なくとも一つの上に支持されており、
前記ウィンドウが、以下の：フロントウィンドウ、サイドウィンドウ、リアクォーターウィンドウ、リアウィンドウ、フロントクウォーターウィンドウ、およびパノラマウィンドウの少なくとも一つを含む、請求項１１に記載の方法。
【請求項１３】
前記プラスチックグレージングが、前記灯ユニットを支持するように構成されている筐体ユニットに取り付けられており、
前記筐体ユニットが繊維強化ポリマーを含む、請求項１１に記載の方法。
【請求項１４】
前記灯ユニットからの灯光を受容するように構成された導光体を提供することをさらに含み、
前記導光体が、以下の：前記受容された灯光を、その長さに沿って射出して前記灯機能を提供すること、前記灯光をその端部に送達して前記灯機能を車両の内部に提供すること、および前記灯光をその端部に送達して前記灯機能を前記車両の外部に提供すること、の一つを行うように構成されている、請求項１１〜１３のいずれか一項に記載の方法。
【請求項１５】
前記導光体を保持するように構成されたモールド成形部品をモールド成形することをさらに含み、
前記部品が、以下の：前記第１の車両ウィンドウグレージング部品および前記第２の車両ウィンドウグレージング部品の少なくとも一つの中にモールド成形されている、請求項１４に記載の方法。
【請求項１６】
第１の位置における前記導光体から射出された灯光を遮断し、第２の位置における前記導光体から灯光を射出可能にするよう構成された光遮断機構を配置することをさらに含む、請求項１４に記載の方法。
【請求項１７】
前記第１の車両ウィンドウグレージング部品および前記第２の車両ウィンドウグレージング部品の一つまたは複数の部分がレンズを形成し、前記灯ユニットが、前記レンズを通して灯光を射出するとともに前記灯機能用の導光体を通して灯光を射出するように構成されている、請求項１４に記載の方法。
【請求項１８】
前記第１の車両ウィンドウグレージング部品および前記第２の車両ウィンドウグレージング部品の少なくとも一つが、前記灯ユニットからの灯光を拡散、散乱、または反射させるように構成された表面を含み、
前記表面が、以下の：テクスチャ加工された表面およびレーザーマーキングされた表面の少なくとも一つを含む、請求項１１〜１７のいずれか一項に記載の方法。
【請求項１９】
前記灯ユニットが、発光ダイオード（ＬＥＤ）を含み、前記方法が前記ＬＥＤを以下の：前記第１の車両ウィンドウグレージング部品および前記第２の車両ウィンドウグレージング部品の少なくとも一つの中にモールド成形することをさらに含む、請求項１１〜１８のいずれか一項に記載の方法。
【請求項２０】
前記灯機能が、以下の：サイド識別灯、外灯、サイド標識灯、駐車モード灯、ルーフピラー灯、リアクォーターウィンドウ灯、ウェルカム灯、室内読書灯、特注可能な個別の灯、環境灯、荷室灯、パノラマルーフ灯、ブレーキ灯、転回信号灯、走行灯、後退灯、霧灯、および安全灯の少なくとも一つを含む、請求項１１〜１９のいずれか一項に記載の方法。
【発明の詳細な説明】
【技術分野】
【０００１】
技術分野
本開示は、車両プラスチックグレージング用の点灯システムを有する車両ウィンドウに関する。
【背景技術】
【０００２】
車両、例えばセダン、クーペ、スポーツ多目的車両、バン、ハッチバック、および同種のものは、典型的には一つまたは複数の、フロント、サイド、クォーター、およびリアウィンドウ構造を含む。さらにそのような車両は、一つまたは複数の灯組み立て体（例えば、ブレーキ灯、足元灯）を含む。これらの部分品およびその他の部分品は、車両の組み立てのコストや煩雑さを増やす可能性がある。
【０００３】
この点に関して、車両における灯組み立て体は、多数のセパレート部品を含む。例えば、典型的な車両は、例えば、駐車灯、転回指示灯、ブレーキ灯、および同種のものを含め、いくつか異なるタイプの灯を有していてもよい。それら灯のそれぞれは、多くの部分品からできていてもよい。これらの部分品は、車両の組み立てのコストや煩雑さを増やす可能性がある。したがって、米国特許第７，０４８，４２３号（「４２３特許」）で認識されているとおり、部分品の数がもっと少ない点灯組み立て体を有することが望ましい。４２３特許には、筐体２０２中に封入されて基材２０４上に搭載された複数のランプ２１０、２１６を含む一体型灯組み立て体であって、この筐体がランプ用のレンズとして働いてもよいものが開示されている。灯組み立て体のそのような部分は、車両の全重量、および車両の製造と組み立ての全体としての煩雑さとコストを増やす可能性がある。従来の灯組み立て体に伴う上記の問題点は、車両に備わる灯の数が増えるという最近の傾向により悪化している。例えば、灯が、審美的な目的および多用途の目的のために備えつけられている。
【０００４】
本開示は、従来技術におけるこれらの問題点や他の問題点を解決することを目的としている。
【発明の概要】
【０００５】
本開示の目的に準拠して、本明細書に具体化され広範に記載されているとおり、この開示は一態様において、ウィンドウと、プラスチックグレージングを含むウィンドウの点灯システムとを含む車両部品に関する。
【０００６】
一態様では、灯機能を有する車両のウィンドウのプラスチックグレージングは、第１の車両ウィンドウグレージング部品と、第１の車両ウィンドウグレージング部品上にモールド成形された第２の車両ウィンドウグレージング部品と、灯機能用の灯光を生成するように構成された灯ユニットとを含み、灯ユニットは、以下の：第１の車両ウィンドウグレージング部品および第２の車両ウィンドウグレージング部品の少なくとも一つと一体化されており、さらに灯ユニットは、以下の：第１の車両ウィンドウグレージング部品および第２の車両ウィンドウグレージング部品の少なくとも一つを通してまたはそこから灯機能用の灯光を誘導するように構成されており、プラスチックグレージングは、モールド成形された一体のプラスチック構造であり、第１の車両ウィンドウグレージング部品および第２の車両ウィンドウグレージング部品の少なくとも一つは、透光性または透明である。
【０００７】
別の態様である、灯機能を有する車両のウィンドウのプラスチックグレージングを製造する工程は、第１の車両ウィンドウグレージング部品をモールド成形することと、第１の車両ウィンドウグレージング部品上にモールド成形された第２の車両ウィンドウグレージング部品をモールド成形することと、灯機能用の灯光を生成するように構成された灯ユニットを、以下の：第１の車両ウィンドウグレージング部品および第２の車両ウィンドウグレージング部品の少なくとも一つと一体化させることと、灯ユニットを、以下の：第１の車両ウィンドウグレージング部品および第２の車両ウィンドウグレージング部品の少なくとも一つを通してまたはそこから灯機能用の灯光を誘導するように配置させることとを含み、第１の車両ウィンドウグレージング部品および第２の車両ウィンドウグレージング部品の少なくとも一つは、透光性または透明である。
【０００８】
本開示のさらなる態様は、以下に続く記載において部分的に記載されてその記載から部分的に明らかとなるか、または本開示の実施により学ぶことができる。本開示の利点は、添付の特許請求の範囲に特に指摘されている構成要素および組み合わせを用いて実行され達成されることになる。以上の一般的記載および以下の詳細な記載の両方とも、例示および説明のためだけのものであり、本開示を制限するものではなく、特許請求されるとおりであるということを理解されたい。
【０００９】
以下の詳細な記載とともに以上の発明の概要は、添付図面と併せて読むとさらによく理解される。図面には代表的な態様が示してあるのであって、本開示は、開示された特定の態様および方法に制限されると意図されているものではない。
【図面の簡単な説明】
【００１０】
【図１】本開示の態様に準拠する灯組み立て体を有するプラスチックグレージングを用いて構築されたウィンドウを有する車両を例示する。
【図２】本開示の態様に準拠するウィンドウの第１の代表的なプラスチックグレージングの正面図を例示する。
【図３】本開示の態様に準拠する筐体ユニットの正面図を例示する。
【図４】本開示の態様に準拠する点灯システムを有する、図２に示す第１の代表的なウィンドウグレージングの背面図を例示する。
【図５】本開示の態様に準拠する点灯システムを有する、図４に示す第１の代表的なウィンドウグレージングの部分断面図である。
【図６】本開示の態様に準拠する点灯システムを有する第２の代表的なウィンドウグレージングの正面図を例示する。
【図７】本開示の態様に準拠する点灯システムを有する第３の代表的なウィンドウグレージングを例示する。
【図８】図７の第１の態様の部分断面図を例示する。
【図９】図７の第２の態様の部分断面図を例示する。
【発明を実施するための形態】
【００１１】
本開示の態様は、図面を参照することにより詳細に記載されることになるが、その場合、類似の参照番号は、それ以外に指定のない限り、いくつかの図を通じて同一のまたは対応する部分品を指し示す。
【００１２】
本明細書に開示の装置および方法は、一体のモノリシック構造を有するプラスチックグレージングを有するウィンドウを提供する。このウィンドウは、一体型締結具、セパレート締結具、ネジ、他のコネクター、または接着剤を用いてウィンドウに取り付けられた灯組み立て体を支持してもよい。灯組み立て体は、審美的機能および／または多目的機能を提供する点灯した機能を提供してもよい。車両のセパレート部品の数を減らすために、本明細書に開示の装置および方法は、一つまたは複数の他の車両部品を含むおよび／またはそれらを一体化させる一体型ウィンドウ組み立て体を提供してもよい。例えば、本明細書に開示のシステムおよび方法は、プラスチックグレージングを有するウィンドウを提供してもよい。ウィンドウのプラスチックグレージングは、無色透明な部分を含む熱可塑性ポリマーから構築されていてもよい。本明細書に開示の他の装置および方法では、さらなる車両部品もまた、プラスチックグレージングに含まれていてもよい。そのような部品は、例えば、灯ユニット用の着色された透光性部分；灯ユニットを支持するための空洞および固定ユニット（例えば、ネジ穴、フックまたはクリップ）；ロゴまたはその他のマーキング用にテクスチャ加工したおよび／または隆起した領域；および同種のものを含んでいてもよい。
【００１３】
本明細書に開示の装置および方法はまた、ウィンドウ、または詳細には、ウィンドウのプラスチックグレージングを製造する方法を提供する。そのようなシステムおよび方法は、マルチショット射出モールド成形技術を用いてプラスチックグレージングを製造する方法を提供してもよい。方法はさらに、一体型締結具、セパレート締結具、ネジ、その他のコネクター、または接着剤を用いてウィンドウに取り付けられた灯組み立て体を提供することを含む。灯組み立て体は、審美的機能および／または多目的機能を提供する点灯した機能を提供してもよい。本開示の特定の態様では、ウィンドウのプラスチックグレージングは、２ショット射出モールド成形工程を通じて形成してもよい。第１のショットでは、無色透明の熱可塑性ポリマーを射出して、プラスチックグレージングの殻または輪郭を形成してもよい。第２のショットでは、着色された熱可塑性ポリマーを射出して、プラスチックグレージング内に一つまたは複数の着色された領域を形成してもよい。
【００１４】
図１に、本開示の態様に係るプラスチックグレージングおよび灯組み立て体を用いて構築されたウィンドウを有する車両を例示する。より詳細には、図１に、一つまたは複数の、フロントウィンドウ１２すなわちフロントガラス、サイドウィンドウ２０、リアクォーターウィンドウ１８、リアウィンドウ１６、フロントクウォーターウィンドウ２２、およびムーンルーフ、サンルーフとして知られているパノラマウィンドウ１４、ならびに同種のものを有する車両１０を例示する。他のタイプのウィンドウが、異なるタイプの車両についても同様に想定される。
【００１５】
車両１０のウィンドウ１２、１４、１６、１８、２０、２２の一つまたは複数が、灯機能５０を生成する灯組み立て体を含んでいてもよい。灯組み立て体は、審美的機能および／または多目的機能を備えた灯機能５０を提供するように実装してもよい。一態様では、灯組み立て体は、歩行者または他の運転者に向けた警告灯を備えた灯機能５０を提供してもよい。一態様では、灯組み立て体は、デザイン・インフルエンス（ｄｅｓｉｇｎ  ｉｎｆｌｕｅｎｃｅ）に基づくサイド識別灯を備えた灯機能５０を提供してもよく、そして／またはブランド・アイデンティティー（ｂｒａｎｄ  ｉｄｅｎｔｉｔｙ）を伴うものであってもよい。一態様では、灯組み立て体は、車両１０の周囲を明るくするように構成されたウェルカム（ｗｅｌｃｏｍｅ）灯またはカーテーシー（ｃｏｕｒｔｅｓｙ）灯を備えた灯機能５０を提供してもよい。一態様では、灯組み立て体は、運転者が近づいてきてキーフォブ（ｋｅｙ  ｆｏｂ）を操作すると車両の外部を明るくする外灯を備えた灯機能５０を提供してもよい。一態様では、灯組み立て体は、運転者または乗客のためにさらなる灯光を提供する室内読書灯を備えた灯機能５０を提供してもよい。一態様では、灯組み立て体は、運転者により特注可能に構成された特注可能な個別の灯を備えた灯機能５０を提供してもよい。一態様では、灯組み立て体は、他の車両との接続機能に応答して、または身振りまたは目配せを送ってくる運転者に応答して動作する灯を備えた灯機能５０を提供してもよい。
【００１６】
一態様では、灯組み立て体は、サイド標識灯を備えた灯機能５０を提供してもよい。例えば、サイド標識灯は、赤色またはコハク色であってもよい。一態様では、電気車両またはハイブリッド電気車両のバッテリ充電の残量を表示する点灯機能、またはその他の新規機能を、異なる色、例えば緑色、青色、または同種のものの標識灯を用いて実装してもよい。一態様では、灯組み立て体は、全内部反射により反射された灯光を含む反射鏡を備えた灯機能５０を提供してもよい。一態様では、灯組み立て体は、特注可能な個人向けの色／陰影効果を有する灯機能５０を提供してもよい。一態様では、灯組み立て体は、要望に応じた色または複数の色を生成するカメレオン効果を有する灯機能５０を提供してもよい。一態様では、灯組み立て体は、複数の点滅する灯光を有するフラッシュライン（ｆｌａｓｈ  ｌｉｎｅ）を備えた灯機能５０を提供してもよい。
【００１７】
一態様では、灯組み立て体は、インモールド成形（ｉｎ−ｍｏｌｄｅｄ）された微視的画像および／または巨視的画像を備えた灯機能５０を提供してもよい。一態様では、灯組み立て体は、車両１０の運転室／客室の内部に配置された環境灯を備えた灯機能５０を提供してもよい。一態様では、灯組み立て体は、車両１０の荷室部分内に荷室灯を備えた灯機能５０を提供してもよい。一態様では、灯組み立て体は、駐車モード灯を備えた灯機能５０を提供してもよい。一態様では、灯組み立て体は、例えばドアが開いていること知らせる注意灯を備えた灯機能５０を提供してもよい。一態様では、灯組み立て体は、局部的なレーザーマーキングを備えた灯機能５０を提供してもよい。一態様では、灯組み立て体は、固体（すなわち白色）の２Ｋ（異なる色、異なる透明度、異なる材料、および同種のものを含んでいてもよい、二つの部品のモールド成形）領域を備えた灯機能５０を提供してもよい。一態様では、灯組み立て体は、表面テクスチャ加工、レーザーマーキング、局部的な描画、インクジェット印刷、または同種のものを備えた灯機能５０を提供してもよい。一態様では、灯組み立て体は、透明なまたは散光させる２Ｋ領域を備えた灯機能５０を提供してもよい。一態様では、灯組み立て体は、空力スポイラー上に灯機能５０を提供してもよい。一態様では、灯組み立て体は、ルーフピラーに上に灯機能５０を提供してもよい。一態様では、灯組み立て体は、Ｄピラー上に灯機能５０を提供してもよい。一態様では、灯組み立て体は、パノラマルーフ上に灯機能５０を提供してもよい。一態様では、灯組み立て体は、光発色性の灯を備えた灯機能５０を提供してもよい。一態様では、灯組み立て体は、３Ｋ（異なる色、異なる透明度、異なる材料、および同種のものを含んでいてもよい、三つの部品のモールド成形）リアクォーターウィンドウの設計機能を備えた灯機能５０を提供してもよく、このウィンドウの設計機能は、第１の部品であるグレージング、第２の部品である筐体、および第３の部品である設計機能を用いて実装してもよい。一態様では、灯組み立て体は、安全灯を備えた灯機能５０を提供してもよい。一態様では、灯組み立て体は、車両灯を規制する特定の国際規格、例えば、ＥＣＥ協定規則第４８号、およびＳＡＥ規格Ｊ５７８等に準拠した着色灯を備えた灯機能５０を提供してもよい。一態様では、灯組み立て体は、ＥＣＥ協定規則第４８号において定められた灯を備えた灯機能５０を提供してもよい。一態様では、灯組み立て体は、ブレーキ灯、転回信号灯、走行灯、後退灯、霧灯、および／または同種のものを備えた灯機能５０を提供してもよい。
【００１８】
図２に、本開示の態様に準拠するウィンドウの第１の代表的なプラスチックグレージングの正面図を例示する。以下、図２を参照しつつ、車両のウィンドウの代表的なプラスチックグレージング１００を示す。プラスチックグレージング１００は、一つまたは複数の熱可塑性ポリマーから形成された一体のモノリシック構造であってもよい。好適な熱可塑性ポリマーの例としては：ポリカーボネート、ポリエステルカーボネート、ポリメチルメタクリレート、および同種のものが挙げられる。本開示の一態様によれば、プラスチックグレージング１００は、ポリカーボネートから形成されていてもよい。プラスチックグレージング１００は、継ぎ目のない、すなわち、視認できるいかなる開口部、接合部、途絶部、不通部、隙間、および同種のものもない外面を有するものとすることができる。プラスチックグレージング１００の矩形形状は、単に例示のためものものであり、プラスチックグレージング１００は、いかなるウィンドウ形状を有するように実装されてもよい。プラスチックグレージングの形状は、平坦であってもよいが、三次元的に様々な程度に複雑に湾曲していてもよい。
【００１９】
プラスチックグレージング１００は、車両のフロントウィンドウ１２すなわちフロントガラス、車両のサイドウィンドウ２０、車両のリアクォーターウィンドウ１８、車両のリアウィンドウ１６、フロントクウォーターウィンドウ２２、および車両のパノラマウィンドウ１４、ならびに同種のものを含むいかなる種類のウィンドウとなるように実装してもよい。異なるタイプの車両用には、他のタイプのウィンドウが想定される。プラスチックグレージング１００はまた、車両１０のウィンドウとして機能する無色透明部分１０８を含む。プラスチックグレージング１００は、部分１１０を含んでいてもよい。部分１１０は、着色されていても、透光性でも、透明でなくとも（すなわち不透明でも）よく、プラスチックグレージング１００の背後に位置する一つまたは複数の構造を隠すように、戦略的に設置されてもよい。
【００２０】
図２をさらに参照すると、プラスチックグレージング１００は、灯機能５０を伴う車両１０から外部に灯光を射出するように、さらに構成してもよい。灯機能５０からの灯光は、無色透明部分１０８および／または部分１１０を通して射出してもよい。一態様では、プラスチックグレージング１００は、灯機能５０を伴う車両１０の内部に灯光を射出するように構成してもよい。
【００２１】
図３に、本開示の態様に準拠する筐体ユニットを例示する。以下、図３を参照すると、筐体ユニット２００は、繊維強化ポリマーから形成されていてもよい。本開示の好ましい態様によれば、筐体ユニット２００は、長ガラス繊維強化ポリプロピレン、例えば、ＳＡＢＩＣ（登録商標）  ＳＴＡＭＡＸ（商標）プラスチックから形成されていてもよい。筐体ユニット２００は、枠部分２０２及び開口部２０４を含んでいてもよい。
【００２２】
プラスチックグレージング１００は、筐体ユニット２００に、接着剤および／または機械的締結具系（例えば、ネジ、ボルト、および／またはクリップ締結具系）を用いて確実に固定してもよい。機械的締結具系は、モールド成形された部分品に一体化されていてもよい、またはセパレートであってもよい。使用される接着剤は、典型的には、プラスチック部品を接着剤で接着するために自動車産業で使用されている市販の接着剤であってもよい。そのような接着剤には、例えば、湿潤接着剤、テープを用いた接着剤、コンタクト型接着剤、ホットメルト接着剤、反応接着剤、または同種ものを挙げてもよい。接着剤の必要な厚みは、プラスチックグレージング１００および筐体ユニット２００の特定の幾何学構造によって変わってもよい。接着剤が、熱可塑性条件下で加工できるホットメルト接着剤である場合には、プラスチックグレージング１００、筐体ユニット２００、およびホットメルト接着剤を、マルチショット射出モールド成形工程中に一つに接着できる場合がある。いくつかの態様では、本開示は、筐体ユニット２００を用いない実装を想定している。
【００２３】
図３に示すとおり、筐体ユニット２００は、灯ユニット２１４を受容するための一つまたは複数の空洞を含んでいてもよい。特に、筐体ユニット２００は、灯ユニット２１４を受容するための空洞２１２を含んでいてもよい。灯ユニット２１４は、点検口を介し、機械的締結具を用いて筐体ユニット２００内に直接固定することができ、締結具は、モールド成形された部分品に一体化されているもの、またはセパレートのもの（例えば、ネジ、ボルト、および同種ものもの）、接着剤、および／または同種のものである。空洞２１２は、灯ユニット２１４からの灯光が、限られた空間から外部に漏れ出さないようにすることができる。このように、さらなる空洞（図示せず）が、さらなる灯ユニット２１４を保持するための空洞２１２のとなりに形成されていてもよく、それらの空洞は、一つの灯ユニット２１４により生成された灯光が、別の灯ユニット２１４用に確保してある空間中に漏れ出さないようにすることになろう。
【００２４】
別の態様では、灯ユニット２１４は、筐体ユニット２００の外部に取り付けられていてもよい。灯ユニット２１４は、点検口を介して、機械的締結具を用いて筐体ユニット２００に直接固定することができ、締結具は、モールド成形された部分品に一体化されているもの、またはセパレートのもの（例えば、ネジ、ボルト、および同種ものもの）、接着剤、および／または同種のものである。
【００２５】
特別な態様では、灯ユニット２１４は、筐体ユニット２００内にモールド成形されていてもよく、そして／または灯ユニット２１４は、筐体ユニット２００上にオーバーモールド成形（ｏｖｅｒ−ｍｏｌｄｅｄ）されていてもよい。この点に関して、灯ユニット２１４は、筐体ユニット２００内に配置されて、灯光がプラスチックグレージング１００を通って射出されるようになっていてもよい。例えば、灯ユニット２１４は、一つまたは複数の発光ダイオード（ＬＥＤ）として実装してもよい。制御および出力用の配線は、筐体ユニット２００内にモールド成形されていてもよい。他のタイプの点灯ユニットもまた想定されている。この態様では、点灯についての従来の灯の解決策と比較して、灯ユニット２１４が、パッケージング空間を削減した上記のとおりの灯機能５０を生成することができる場合がある。
【００２６】
別の態様では、灯ユニット２１４は、プラスチックグレージング１００内にモールド成形されていてもよく、そして／または灯ユニット２１４は、プラスチックグレージング１００上にオーバーモールド成形されていてもよい。この点に関して、灯ユニット２１４は、プラスチックグレージング１００内に配置されて、灯光がプラスチックグレージング１００を通って射出されるようになっていてもよい。例えば、灯ユニット２１４は、一つまたは複数の発光ダイオード（ＬＥＤ）として実装してもよい。制御および出力用の配線は、プラスチックグレージング１００内にモールド成形されていてもよい。他のタイプの点灯ユニットもまた想定されている。この態様では、灯ユニット２１４は、従来の灯の解決策と比較して、パッケージング空間を削減した上記のとおりの灯機能５０を生成することができる場合がある。さらなる態様では、プラスチックグレージング１００は、密閉されカプセル化されてＬＥＤを含む灯ユニット２１４を提供してもよい。灯ユニット２１４は、プラスチックグレージング１００内に導電性トレースを含む電子回路をさらに含んでいてもよい。これによって電子回路は、プリント回路基板（ＰＣＢ）、またはその一部分を、プラスチックグレージング１００内に効果的に形成する場合がある。灯ユニット２１４のＬＥＤを導電性トレースに結合させて出力および信号を提供し、導電性トレースを介して灯ユニット２１４のＬＥＤの起動および／または停止を実行してもよく、本明細書に定める専用ハードウェアにより制御してもよい。さらなる態様では、筐体ユニット２００は、上記のプラスチックグレージング１００に関するカプセル化と類似のやり方で、密閉されカプセル化されてＬＥＤを含む灯ユニット２１４を提供してもよい。さらなる態様では、筐体ユニット２００およびプラスチックグレージング１００は、上記プラスチックグレージング１００に関するカプセル化と類似のやり方で、密閉されカプセル化されてＬＥＤを含む灯ユニット２１４を提供してもよい。
【００２７】
図４は、本開示の態様に準拠する点灯システムを有する、図１に示す第１の代表的なウィンドウグレージングを例示し；図５は、本開示の態様に準拠する点灯システムを有する、図４に示す第１の代表的なウィンドウグレージングの部分断面図である。特に、図４には、内部に灯ユニット２１４を配置させたプラスチックグレージング１００の中または下に配置された空洞２１２を示す。灯ユニット２１４はさらに、出力および信号の結線（図示せず）を含み、結線は、筐体ユニット２００内に配置されていてもよい。
【００２８】
一態様では、灯ユニット２１４は、筐体ユニット２００内にモールド成形されていても、プラスチックグレージング１００内にモールド成形されていても、またはその両方であってもよい。一態様では、灯ユニット２１４は、筐体ユニット２００のモールド成形された空洞２１２内に配置されていても、プラスチックグレージング１００内のモールド成形された空洞内に配置されていても、またはその両方であってもよい。一態様では、灯ユニット２１４は、筐体ユニット２００に取り付けられていても、プラスチックグレージング１００に取り付けられていても、またはその両方であってもよい。
【００２９】
灯ユニット２１４は、灯光を生成して導光体４０２に提供してもよい。導光体４０２は、部分１１０上でプラスチックグレージング１００全体にわたり広がっていてもよい。代わりにまたはさらに、導光体４０２は、無色透明部分１０８全体にわたり広がっていてもよい。代わりにまたはさらに、導光体４０２は、筐体ユニット２００全体にわたり広がっていてもよい。
【００３０】
導光体４０２は、灯ユニット２１４からの灯光を受容してもよい。導光体４０２は、灯ユニット２１４からの灯光を透過させ、この灯光を所定位置に送達するように構成して、灯機能５０を提供するようにしてもよい。この点に関して、導光体４０２は、単にその端部部分に灯光を送達するように構成されていてもよい
【００３１】
代わりにまたはさらに、導光体４０２は、灯機能５０のように、その長さにそって灯光を射出するように構成されていてもよい。導光体４０２は、直線状すなわち真っ直ぐな構造を持つものとして示してある。しかしながら、導光体４０２は、所望に応じて灯機能５０を提供するようないかなる所望の形状を有していてもよい。
【００３２】
図５に示すとおり、導光体４０２は、モールド成形された部品５０２により保持されていてもよい。モールド成形された部品５０２は、部分１１０と同一の成型ショットにおいて製造されてもよく、よって製造の複雑さやコストが削減される。モールド成形された部品５０２は、図５に示すように、部分１１０から延びてフック部で終端していてもよい。導光体４０２を保持するようにモールド成形された部品５０２の他の構造もまた想定される。あるいは、導光体４０２は部分１１０に、接着剤、機械的締結具、または同種のものにより、単に取り付けられていてもよい。機械的締結具は、モールド成形された部分品に一体化されていても、またはセパレート（例えば、ネジ、ボルト、および同種のもの）であってもよい。
【００３３】
別の態様では、導光体４０２は、モールド成形されて筐体ユニット２００上に配置された部品５０２により、保持されていてもよい。モールド成形された部品５０２は、筐体ユニット２００と同一の成型ショットにおいて製造されてもよく、よって製造の複雑さやコストが削減される。モールド成形された部品５０２は、筐体ユニット２００から延びてフック部分で終端していてもよい。導光体４０２を保持するようにモールド成形された部品５０２の他の構造もまた想定される。あるいは導光体４０２は筐体ユニット２００に、接着剤、機械的締結具、または同種のものにより、単に取り付けられていてもよい。機械的締結具は、モールド成形された部分品に一体化されていても、またはセパレート（例えば、ネジ、ボルト、および同種のもの）であってもよい。
【００３４】
図６に、本開示の一態様に準拠する点灯システムを有する第２の代表的なウィンドウグレージングを例示する。特に、図６には、内部に灯ユニット２１４を配置させたプラスチックグレージング１００の中または下に配置された空洞２１２を示す。灯ユニット２１４はさらに、出力および信号の結線（図示せず）を含み、結線は、筐体ユニット２００および／またはプラスチックグレージング１００内に配置されていてもよい。一態様では、灯ユニット２１４は、筐体ユニット２００内にモールド成形されていても、プラスチックグレージング１００内にモールド成形されていても、またはその両方であってもよい。一態様では、灯ユニット２１４は、筐体ユニット２００の空洞２１２内にモールド成形されていても、プラスチックグレージング１００内の空洞内にモールド成形されていても、またはその両方であってもよい。一態様では、灯ユニット２１４は、筐体ユニット２００に取り付けられていても、プラスチックグレージング１００に取り付けられていても、またはその両方であってもよい。
【００３５】
灯ユニット２１４は、無色透明部分１０８内に、空洞２１２に隣接した縁を通して灯光を射出してもよい。代わりにまたはさらに、灯ユニット２１４は、無色透明部分１０８の表面上に灯光を射出するよう配置されていてもよい。いずれの場合でも、灯光は、無色透明部分１０８上の部分６０４まで透過することになる。部分６０４は、灯ユニット２１４から射出された灯光を受容する画像６０８および／または文６０６を含んでいてもよい。画像６０８および／または文６０６は、レーザーマーキングによる画像またはテクスチャ加工された表面により形成されていてもよい。いずれの場合も、画像６０８および／または文６０６は、灯ユニット２１４からの灯光を受容して、レーザーマーキングまたはテクスチャ加工された表面による画像６０８および／または文６０６を照明してもよい。一態様では、画像６０８および／または文６０６は、灯ユニット２１４からの灯光を受容し、その灯光を散乱、拡散、および／または反射させて、レーザーマーキングまたはテクスチャ加工された表面による画像６０８を照明するようにしてもよい。
【００３６】
一態様では、画像６０８および／または文６０６は、それを取り囲むプラスチックグレージング１００の隆起したまたはエンボス加工された領域であってもよい。一態様では、画像６０８および／または文６０６は、無色透明な、着色された、透明な、透光性の、および／または非透明なものとなるように選択することができる。一態様では、画像６０８および／または文６０６は透光性であって、プラスチックグレージング１００の背後に配置された灯が、特に暗闇の場合には透光性部分を通して輝いて、視認性を高めるようになっていてもよい。一態様では、画像６０８および／または文６０６は、熱可塑性ポリマーから形成されていてもよく、プラスチックグレージング１００を形成する射出モールド成形工程の一部分として形成されてもよい。
【００３７】
図７に、本開示の一態様に準拠する点灯システムを有する第３の代表的なウィンドウグレージングを例示する。プラスチックグレージング１００は、車両１０のテールランプ、補助ブレーキ灯、カーテーシー灯、ブレーキ灯、または同種のものの部分として機能する第１の無色透明なまたは着色された部分１０２を含んでいてもよい。灯ユニット２１４からプラスチックグレージング１００の部分１０２を通って射出される灯光は、車両照明を規制する特定の国際規格、例えば、ＥＣＥ協定規則第４８号およびＳＡＥ規格Ｊ５７８に準拠して、着色された灯光として射出してもよい。部分１０２および灯ユニット２１４は、赤色の灯光を生成してもよい一方で、部分１０２および灯ユニット２１４はまた、他の色、例えば、黄色またはコハク色等を有する灯光を生成するように設計してもよいことは、当業者に理解されるであろう。これらの色はまた、ＥＣＥ協定規則第４８号とともに他の国際規格に定義されている。もちろん他の色が、灯ユニット２１４とともに部分１０２により射出されてもよい。
【００３８】
図８に、図７の第１の態様の断面図を例示する。灯ユニット２１４はさらに、前記のとおりの灯光を導光体４０２に提供してもよい。前記のとおりに取り付けられ配置されている導光体４０２。導光体４０２は、光８０４を車両１０の内部に射出する構成を有する端部８０２において終端していてもよい。前記のとおりの灯機能５０を提供する灯光８０４。例えば、灯機能５０を提供する灯光８０４は、ウェルカム灯またはカーテーシー灯、室内読書灯、特注可能な個別の灯、環境灯、荷室灯、パノラマルーフ灯、または同種のものを含んでいてもよい。灯光８０４は、灯ユニット２１４に一致した色を有していてもよい。あるいは、灯光８０４は、導光体４０２、端部８０２、または同種のものの中に配置された着色部分を通って射出されて、所望の色を提供するようにしてもよい。灯ユニット２１４はまた、上に言及したとおりの灯光８０８を、部分１０２を通して射出してもよい。
【００３９】
図９に、図７の第２の態様の断面図を例示する。灯ユニット２１４はさらに、前記のとおりの灯光を導光体４０２に提供してもよい。前記のとおりに取り付けられ配置されている導光体４０２。導光体４０２は、灯光９２０を車両１０から外部に射出する構成を有する端部８０２において終端していてもよい。前記のとおりの灯機能５０を提供する灯光９２０。例えば、サイド識別灯、ウェルカム灯、外灯、サイド標識灯、駐車モード灯、ルーフピラー灯、リアクォーターウィンドウ灯、安全灯、および／または同種のものを提供する灯光９２０。それは、装飾的なグラフィック、ロゴ、または同種のものの照明を提供してもよい。このグラフィックまたはロゴは、部分１１０内、グレージング１０８内、または両方にインモールド成形されていてもよく、またはそれは、セパレートの実体であってもよい。灯光９２０は、灯ユニット２１４に一致した色を有していてもよい。あるいは、灯光９２０は、導光体４０２、端部８０２、または同種のものの中に配置された着色部分を通って射出されて、所望の色を提供するようにしてもよい。灯ユニット２１４はまた、上に言及したとおりの灯光８０８を、部分１０２を通して射出してもよい。
【００４０】
図９をさらに参照すると、灯光９２０は、部分９３０を通って射出されてもよい。一態様では、部分９３０は、端部８０２から灯光を常に射出するように構成されていてもよい。別の態様では、部分９３０は、遮断機構９１０を含んでいてもよい。遮断機構９１０は、図９に示すとおりの第１の位置を有していてもよく、この位置により、灯光９２０を端部８０２から射出することが可能になる。遮断機構９１０は、灯光９２０が端部８０２から射出されないようにする第２の位置（図示せず）を有していてもよい。この点に関して、遮断機構９１０を移動させて、または延ばして部分９３０を覆うことにより、灯光９２０が部分９３０を通って射出されないよう遮断してもよい。
【００４１】
遮断機構９１０は、第１の位置から第２の位置に、乗客または運転者の操作により手動で摺動させてもよい。遮断機構９１０は、第１の位置から第２の位置に、専用ハードウェアの操作により自動的に摺動させてもよい。遮断機構９１０は、第１の位置から第２の位置に、ソレノイド、サーボ、または同様の電気機械的部品の操作により摺動させてもよい。
【００４２】
灯ユニット２１４は、一つまたは複数の灯部品、例えば、白熱電球、蛍光ランプ、ガス放電ランプ、一つまたは複数のＬＥＤ、および同種のもの等を含んでいてもよい。灯ユニット２１４はさらに、駆動回路、出力の結線、信号の結線、および同種のものを含んでいてもよい。灯ユニット２１４の信号の結線は、無線により実装して、制御および命令の信号を本明細書に定めるとおりの通信チャネル上で受信してもよい。駆動回路は、灯ユニット２１４のそれぞれ個々の灯の状態を制御することを含め、灯ユニット２１４を制御する専用ハードウェアを含んでいてもよく、この状態は、色、点滅、および同種のものを含んでいてもよいものである。
【００４３】
さらに、プラスチックグレージング１００を含むウィンドウは、車両、例えば車両１０の機能に関連する様々な他の部品をさらに含んでいてもよい。例えば、プラスチックグレージング１００は、スポイラー部分および支持部材をさらに含んでいてもよい。支持部材は、筐体ユニット（例えば、筐体ユニット２００）の部分品であってもよく、これは、プラスチックグレージング１００の背後に配置されて、灯ユニット２１４および同種のものを支持しているものである。スポイラー部分は、さらなる熱可塑性のポリマーから形成されていてもよく、接着剤または機械的締結具系を用いて主体に取り付けられていてもよい。機械的締結具系は、モールド成形された部分品に一体化されたもの、またはセパレートのもの（例えば、ネジ、ボルト、および同種のもの）であってもよい。スポイラー部分は、灯機能５０に関連する灯光を射出してもよい。
【００４４】
さらに、灯ユニット２１４を利用した本開示のいかなる態様も、装飾的なグラフィック、ロゴ、または同種のものの照明を提供するように構成されていてもよい。このグラフィックまたはロゴは、部分１１０内、グレージング１０８内、または両方にインモールド成形されていてもよく、またはセパレートの実体であってもよい。
【００４５】
本開示の特定の態様によれば、本明細書に開示のウィンドウ組み立て体は、熱可塑性ポリマー層の最上部にさらなる層を含んでいてもよい。例えば、耐ひっかき性を高める層を、プラスチックグレージングの外面に追加してもよい。別の実施例として、熱可塑性ポリマー層をさらに支持するためのさらなる層を、プラスチックグレージングの内面にも追加してもよい。このさらなる層は、プラスチック、金属、またはウィンドウの構造強度を高める他の材料から形成されていてもよい。
【００４６】
上記のとおり、プラスチックグレージング１００は、モールド成形工程を用いて製造してもよい。特別な態様では、マルチショット射出技術を使用してプラスチックグレージング１００を形成してもよい。第１のショットでは、無色透明な透光性材料を、第１の容積を有するモールドの空洞内に射出して、無色透明部分１０８を形成してもよい。無色透明部分１０８が形成された後、モールドの空洞を調整して第２の容積などにして、材料のさらなるショットを受容するようにしてもよい。第２のショット（または第３のショット）では、部分１１０用の黒色または他の色の不透明な材料をモールドの空洞内に射出して、無色透明な透光性材料と接着させてもよい。二つの材料を、メルト接着を通じて一つに接着させてもよい。すなわち、射出された不透明な材料からの熱により、すでに硬化している無色透明の透光性材料の表面を溶融させて、冷えたときに二つの材料の間に接着部が形成されるようにしてもよい。マルチショット射出モールド成形のいかなる一工程の最中にあっても、モールド成形された部品５０２、空洞２１２、着色部分１０２、または本開示における記載のいかなる他の態様が形成されてもよく、よって製造工程のコストや煩雑さが低減される。マルチショット射出モールド成形のいかなる一工程の最中にあっても、灯ユニット２１４または本開示に記載のいかなる他の態様が挿入されてモールドイン成形されてもよく、よって製造工程のコストや煩雑さが低減される。
【００４７】
本開示に一致するように製造された灯機能５０の実装により、一体化しない実装と比較して１０％〜１５％よりも大きな重量削減ができることがわかった。
【００４８】
本開示が、以下の実施例のいずれか一つ、およびその全てにいたるまでを含んでいてもよいことは理解されよう。
【実施例１】
【００４９】
灯機能を有する車両のウィンドウのプラスチックグレージングであって、プラスチックグレージングが：第１の車両ウィンドウグレージング部品と；前記第１の車両ウィンドウグレージング部品上にモールド成形された第２の車両ウィンドウグレージング部品と；灯機能用の灯光を生成するように構成された灯ユニットとを含み；前記灯ユニットが、以下の：前記第１の車両ウィンドウグレージング部品および前記第２の車両ウィンドウグレージング部品の少なくとも一つと一体化されており；さらに前記灯ユニットが、以下の：前記第１の車両ウィンドウグレージング部品および前記第２の車両ウィンドウグレージング部品の少なくとも一つを通してまたはそこから前記灯機能用の灯光を誘導するように構成されており、前記プラスチックグレージングが、モールド成形された一体のプラスチック構造であり；前記第１の車両ウィンドウグレージング部品および前記第２の車両ウィンドウグレージング部品の少なくとも一つが、透光性または透明である、プラスチックグレージング。
【実施例２】
【００５０】
前記灯ユニットが、以下の：前記第１の車両ウィンドウグレージング部品および前記第２の車両ウィンドウグレージング部品の少なくとも一つの上に支持されており、前記ウィンドウが、以下の：フロントウィンドウ、サイドウィンドウ、リアクォーターウィンドウ、リアウィンドウ、フロントクウォーターウィンドウ、およびパノラマウィンドウの少なくとも一つを含む、実施例１に記載のプラスチックグレージング。
【実施例３】
【００５１】
前記プラスチックグレージングが、前記灯ユニットを支持するように構成されている筐体ユニットに取り付けられており、前記筐体ユニットが、繊維強化ポリマーを含む、実施例１〜２のいずれか一例に記載のプラスチックグレージング。
【実施例４】
【００５２】
前記灯ユニットからの灯光を受容するように構成された導光体をさらに含み、前記導光体が、以下の：前記受容された灯光を、その長さに沿って射出して前記灯機能を提供すること、前記灯光をその端部に送達して車両の内部に前記灯機能を提供すること、および前記灯光をその端部に送達して前記車両から外部に灯機能を提供すること、の一つを行うように構成されている、実施例１〜３のいずれか一例に記載のプラスチックグレージング。
【実施例５】
【００５３】
前記導光体を保持するように構成された、モールド成形された部品を含み、前記モールド成形された部品が、以下の：前記第１の車両ウィンドウグレージング部品および前記第２の車両ウィンドウグレージング部品の少なくとも一つの中にモールド成形されている、実施例１〜４のいずれか一例に記載のプラスチックグレージング。
【実施例６】
【００５４】
第１の位置における前記導光体から射出された灯光を遮断し、第２の位置における前記導光体から灯光を射出可能にするよう構成された光遮断機構をさらに含む、実施例１〜５のいずれか一例に記載のプラスチックグレージング。
【実施例７】
【００５５】
前記第１の車両ウィンドウグレージング部品および前記第２の車両ウィンドウグレージング部品の一つまたは複数の部分がレンズを形成し、前記灯ユニットが、前記レンズを通して灯光を射出するとともに前記灯機能用の前記導光体を通して灯光を射出するように構成されている、実施例１〜６のいずれか一例に記載のプラスチックグレージング。
【実施例８】
【００５６】
前記第１の車両ウィンドウグレージング部品および前記第２の車両ウィンドウグレージング部品の少なくとも一つが、前記灯ユニットから受容された灯光を拡散、散乱、または反射させるように構成された表面を含み、前記表面が、以下の：テクスチャ加工された表面およびレーザーマーキングされた表面の少なくとも一つを含む、実施例１〜７のいずれか一例に記載のプラスチックグレージング。
【実施例９】
【００５７】
前記灯ユニットが、発光ダイオード（ＬＥＤ）を含み、前記ＬＥＤが、以下の：前記第１の車両ウィンドウグレージング部品よび前記第２の車両ウィンドウグレージング部品の少なくとも一つの中にモールド成形されている、実施例１〜８のいずれか一例に記載のプラスチックグレージング。
【実施例１０】
【００５８】
前記灯機能が、以下の：サイド識別灯、外灯、サイド標識灯、駐車モード灯、ルーフピラー灯、リアクォーターウィンドウ灯、ウェルカム灯、室内読書灯、特注可能な個別の灯、環境灯、荷室灯、パノラマルーフ灯、ブレーキ灯、転回信号灯、走行灯、後退灯、霧灯、および安全灯の少なくとも一つを含む、実施例１〜９のいずれか一例に記載のプラスチックグレージング。
【実施例１１】
【００５９】
灯機能を有する車両のウィンドウのプラスチックグレージングを製造する工程であって、第１の車両ウィンドウグレージング部品をモールド成形することと；前記第１の車両ウィンドウグレージング部品上にモールド成形された第２の車両ウィンドウグレージング部品をモールド成形することと；前記灯機能用の灯光を生成するように構成された灯ユニットを、以下の：前記第１の車両ウィンドウグレージング部品および前記第２の車両ウィンドウグレージング部品の少なくとも一つと一体化させることと；前記灯ユニットを、以下の：前記第１の車両ウィンドウグレージング部品および前記第２の車両ウィンドウグレージング部品の少なくとも一つを通してまたはそこから前記灯機能用の灯光を誘導するように配置させることとを含み、前記第１の車両ウィンドウグレージング部品および前記第２の車両ウィンドウグレージング部品の少なくとも一つが透光性または透明である、工程。
【実施例１２】
【００６０】
前記灯ユニットが、以下の：前記第１の車両ウィンドウグレージング部品および前記第２の車両ウィンドウグレージング部品の少なくとも一つの上に支持されており、前記ウィンドウが、以下の：フロントウィンドウ、サイドウィンドウ、リアクォーターウィンドウ、リアウィンドウ、フロントクウォーターウィンドウ、およびパノラマウィンドウの少なくとも一つを含む、実施例１１に記載の工程。
【実施例１３】
【００６１】
前記プラスチックグレージングが、前記灯ユニットを支持するように構成されている筐体ユニットに取り付けられており、前記筐体ユニットが繊維強化ポリマーを含む、実施例１１〜１２のいずれか一例に記載の工程。
【実施例１４】
【００６２】
前記灯ユニットからの灯光を受容するように構成された導光体を提供することをさらに含み、前記導光体が、以下の：前記受容された灯光を、その長さに沿って射出して前記灯機能を提供すること、前記灯光をその端部に送達して前記灯機能を車両の内部に提供すること、および前記灯光をその端部に送達して前記灯機能を前記車両の外部に提供すること、の一つを行うように構成されている、実施例１１〜１３のいずれか一例に記載の工程。
【実施例１５】
【００６３】
前記導光体を保持するように構成されたモールド成形部品をモールド成形することをさらに含み、前記部品が、以下の：前記第１の車両ウィンドウグレージング部品および前記第２の車両ウィンドウグレージング部品の少なくとも一つの中にモールド成形されている、実施例１１〜１４のいずれか一例に記載の工程。
【実施例１６】
【００６４】
第１の位置における前記導光体から射出された灯光を遮断し、第２の位置における前記導光体から灯光を射出可能にするよう構成された光遮断機構を配置することをさらに含む、実施例１１〜１５のいずれか一例に記載の工程。
【実施例１７】
【００６５】
前記第１の車両ウィンドウグレージング部品および前記第２の車両ウィンドウグレージング部品の一つまたは複数の部分がレンズを形成し、前記灯ユニットが、前記レンズを通して灯光を射出するとともに前記灯機能用の前記導光体を通して灯光を射出するように構成されている、実施例１１〜１６のいずれか一例に記載の工程。
【実施例１８】
【００６６】
前記第１の車両ウィンドウグレージング部品および前記第２の車両ウィンドウグレージング部品の少なくとも一つが、前記灯ユニットからの灯光を拡散、散乱、または反射させるように構成された表面を含み、前記表面が、以下の：
テクスチャ加工された表面およびレーザーマーキングされた表面の少なくとも一つを含む、実施例１１〜１７のいずれか一例に記載の工程。
【実施例１９】
【００６７】
前記灯ユニットが、発光ダイオード（ＬＥＤ）を含み、前記工程が前記ＬＥＤを以下の：前記第１の車両ウィンドウグレージング部品および前記第２の車両ウィンドウグレージング部品の少なくとも一つの中にモールド成形することをさらに含む、実施例１１〜１８のいずれか一例に記載の工程。
【実施例２０】
【００６８】
前記灯機能が、以下の：サイド識別灯、外灯、サイド標識灯、駐車モード灯、ルーフピラー灯、リアクォーターウィンドウ灯、ウェルカム灯、室内読書灯、特注可能な個別の灯、環境灯、荷室灯、パノラマルーフ灯、ブレーキ灯、転回信号灯、走行灯、後退灯、霧灯、および安全灯の少なくとも一つを含む、実施例１１〜１９のいずれか一例に記載の工程。
【００６９】
概して、本明細書に開示されているシステムおよび方法はどちらか一方が、本明細書に記載されているいかなる適切な部品を含んでいても、それらからなっていても、または本質的になっていてもよい。さらにまたは代わりに、本開示は、従来技術の部品において使用されているいかなる部品も、またはそれ以外に開示の機能および／または目的の実現に必要ではないいかなる部品も回避するように、または実質的に使用しないように設計してもよい。
【００７０】
本明細書における値の範囲の列挙は、それ以外に本明細書に表示されていない限り、そして各別個の値が、本明細書にあたかも個々に列挙されているかのごとく明細書に援用されていない限り、その範囲内に収まる各別個の値を個々に参照する簡略な方法としての役割を果たすことを意図しているにすぎない。本明細書に記載のすべての方法は、それ以外に本明細書に表示されていない限り、またはそれ以外に文脈によって明らかに否定されていない限り、いかなる好適な順序でも実行することができる。
【００７１】
いかなる熱可塑性材料も、本明細書に開示されている方法を用いて加工できることは理解されよう。例えば、ポリマーは、ポリフェニレンエーテル系樹脂、ポリアセタール系樹脂、ポリアミド系樹脂、ポリスチレン系樹脂、ポリメチルメタクリレート系樹脂、ポリアクリロニトリル系樹脂、ポリエステル系樹脂、ポリカーボネート、ポリフェニレンスルフィド、ポリエーテルイミド、ポリエーテルスルホン、ポリスルホン、ポリエーテル（エーテル）ケトン、ポリオレフィン系樹脂、ポリエチレンテレフタレート系樹脂（ＰＥＴ）、ポリｐ−フェニレン系樹脂、ポリ塩化ビニル（ＰＶＣ）系樹脂、ポリテトラフルオロエチレン（ＰＴＦＥ）系樹脂、および前出の少なくとも一つを含む組み合わせを含むことができる。
【００７２】
本開示の態様は、灯ユニット２１４を制御する専用ハードウェアを伴う通信チャネルを含んでいてもよく、それらのチャネルは、いかなる種類の有線または無線電子通信ネットワーク、例えば、有線／無線ローカルエリアネットワーク（ＬＡＮ）、近距離通信（ＮＦＣ）、携帯電話ネットワーク、パーソナルコミュニケーションサービス（ＰＣＳ）、既知のプロトコルを使用する、例えばモバイルコミュニケーション向けグローバルシステム（ＧＳＭ）、ＣＤＭＡ（符号分割多元接続）、ＧＳＭ／ＥＤＧＥおよびＵＭＴＳ／ＨＳＰＡネットワーク技術、ロング・ターム・エボルーション（ＬＴＥ）、５Ｇ（第５世代モバイルネットワークまたは第５世代ワイヤレスシステム）、ＷｉＭＡＸ、ＨＳＰＡ＋、Ｗ−ＣＤＭＡ（広帯域符号分割多元接続方式）、ＣＤＭＡ２０００（Ｃ２ＫまたはＩＭＴマルチキャリア（ＩＭＴ  Ｍｕｌｔｉ‐Ｃａｒｒｉｅｒ（ＩＭＴ‐ＭＣ））としても知られているもの）、ワイヤレス・フィデリティ（Ｗｉ−Ｆｉ）、ブルートゥース（Ｂｌｕｅｔｏｏｔｈ）(登録商標)、および／もしくは同種のもの、ならびに／またはそれらの二つ以上の組み合わせ等であってもよい。
【００７３】
さらに本開示の様々な態様に準拠して、本明細書に記載の方法は、マイクロプロセッサー、ＰＣ、ＰＤＡ、半導体、特定用途向け集積回路（ＡＳＩＣ）、プログラマブル・ロジックアレイ、および本明細書に記載の方法を実装する他のハードウェア装置を含むがそれらには限定されない専用ハードウェアの実装を用いた操作を意図している。
【００７４】
例示された態様に関連して記載された本開示の態様は、例示という方法で示されたものであり、したがって本開示は、開示された態様に制限されることが意図されているわけではない。さらには、本開示に記載の各態様の構造および機能は、本明細書に記載の他の態様にも当てはめることができる。したがって、添付の特許請求の範囲に記載のとおり、本開示が、本開示の趣旨と範囲内に含まれるあらゆる修正例、および代わりの構成を包含すると意図されていることは、当業者には理解されるであろう。
【図１】
2020183228.tif 000003
【図２】
2020183228.tif 000004
【図３】
2020183228.tif 000005
【図４】
2020183228.tif 000006
【図５】
2020183228.tif 000007
【図６】
2020183228.tif 000008
【図７】
2020183228.tif 000009
【図８】
2020183228.tif 000010
【図９】
2020183228.tif 000011
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
灯機能を有する車両のウィンドウのプラスチックグレージングであって、当該プラスチックグレージングが、
第１の車両ウィンドウグレージング部品と、
半透明又は不透明である、前記プラスチックグレージングのうちの着色された部分（１１０）を形成する、前記第１の車両ウィンドウグレージング部品上にモールド成形された第２の車両ウィンドウグレージング部品と、
灯機能用の灯光を生成して、前記第１の車両ウィンドウグレージング部品の第１の部分を通して灯光を射出するように構成された灯ユニットであって、前記第１の部分は前記第２の車両ウィンドウグレージング部品により画成されており、また前記灯ユニットは、前記第１の車両ウィンドウグレージング部品および前記第２の車両ウィンドウグレージング部品のうちの少なくとも一つと一体化されている、前記灯ユニットと、を含むものであり、
前記灯ユニットが、前記第１の車両ウィンドウグレージング部品および前記第２の車両ウィンドウグレージング部品のうちの少なくとも一つを通してまたはそこから前記灯機能用の灯光を誘導するように構成されており、
前記プラスチックグレージングが、モールド成形された一体のプラスチック構造であり、
前記プラスチックグレージングは、前記灯ユニットを支持するように構成されている筐体ユニットに取り付けられており、該筐体ユニットは繊維強化ポリマーを含み、
前記第１の車両ウィンドウグレージング部品および前記第２の車両ウィンドウグレージング部品のうちの少なくとも一つは、半透明又は透明である、プラスチックグレージング。
【請求項２】
前記灯ユニットからの灯光を受容するように構成されている導光体をさらに含むものであって、
前記導光体が、受容された灯光を、その長さに沿って射出して前記灯機能を提供すること、前記灯光をその端部に送達して前記車両の内部に前記灯機能を提供すること、および前記灯光をその端部に送達して前記車両から外部に前記灯機能を提供すること、のうちの一つを行うように構成されている、請求項１記載のプラスチックグレージング。
【請求項３】
前記第１の車両ウィンドウグレージング部品および前記第２の車両ウィンドウグレージング部品のうちの少なくとも一つが、前記灯ユニットから受容された灯光を拡散、散乱、または反射させるように構成された表面を含み、
前記表面が、テクスチャ加工された表面およびレーザーマーキングされた表面のうちの少なくとも一つを含む、請求項１から２のいずれか一項に記載のプラスチックグレージング。
【請求項４】
前記灯機能が、サイド識別灯、外灯、サイド標識灯、駐車モード灯、ルーフピラー灯、リアクォーターウィンドウ灯、ウェルカム灯、室内読書灯、特注可能な個別の灯、環境灯、荷室灯、パノラマルーフ灯、ブレーキ灯、転回信号灯、走行灯、後退灯、霧灯、および安全灯、のうちの少なくとも一つを含む、請求項１から３のいずれか一項に記載のプラスチックグレージング。
【請求項５】
前記灯ユニットが、発光ダイオード（ＬＥＤ）を含み、当該ＬＥＤは、前記第１の車両ウィンドウグレージング部品および前記第２の車両ウィンドウグレージング部品のうちの少なくとも一つの中にモールド成形されている、請求項１から４のいずれか一項に記載のプラスチックグレージング。
【請求項６】
灯機能を有する車両のウィンドウのプラスチックグレージングを製造する方法であって、当該方法は、
第１の車両ウィンドウグレージング部品をモールド成形して、前記プラスチックグレージングの無色透明部分（１０８）を形成することと；
前記第１の車両ウィンドウグレージング部品上にモールド成形される第２の車両ウィンドウグレージング部品をモールド成形して、前記第１の車両ウィンドウグレージング部品の第１の部分を画成することと；
灯機能用の灯光を生成して前記第１の部分（１０２）を通して光を射出するように構成された灯ユニットを、前記第１の車両ウィンドウグレージング部品および前記第２の車両ウィンドウグレージング部品のうちの少なくとも一つと一体化させることと；
前記灯ユニットを、前記第１の車両ウィンドウグレージング部品および前記第２の車両ウィンドウグレージング部品のうちの少なくとも一つを通してまたはそこから前記灯機能用の灯光を誘導するように配置させることとを含み、
前記第１の車両ウィンドウグレージング部品および前記第２の車両ウィンドウグレージング部品のうちの少なくとも一つは、半透明又は透明である、方法。
【請求項７】
前記灯ユニットからの灯光を受容するように構成された導光体を提供することをさらに含み、
前記導光体が、受容された灯光を、その長さに沿って射出して前記灯機能を提供すること、前記灯光をその端部に送達して前記灯機能を前記車両の内部に提供すること、および前記灯光をその端部に送達して前記灯機能を前記車両から外部に提供すること、のうちの一つを行うように構成されており、
前記プラスチックグレージングは、前記灯ユニットを支持するように構成されている筐体ユニットに取り付けられており、該筐体ユニットは繊維強化ポリマーを含むものである、請求項６記載の方法。
【請求項８】
前記導光体を保持するように構成された部品をモールド成形することをさらに含み、
前記部品が、前記第１の車両ウィンドウグレージング部品および前記第２の車両ウィンドウグレージング部品のうちの少なくとも一つの中にモールド成形されているものである、請求項６記載の方法。
【請求項９】
前記プラスチックグレージングを、繊維強化ポリマーの筐体ユニットに取り付けることと、前記灯ユニットを、当該筐体ユニットで支持することとをさらに含む、請求項６記載の方法。
【請求項１０】
前記灯ユニットが、発光ダイオード（ＬＥＤ）を含み、また前記方法は、前記第１の車両ウィンドウグレージング部品および前記第２の車両ウィンドウグレージング部品のうちの少なくとも一つの中に当該ＬＥＤをモールド成形することをさらに含む、請求項６から９のいずれか一項に記載の方法。